(57)【要約】【課題】隣家と接近して建築された建物の作業を室外側から行うときに用いる狭小地用の仮設足場及びその組み立て方法を提供する。【解決手段】建物とこの建物に隣接する建物との間に設置され、建物の作業を行うために用いる仮設足場１である。間隔を置いて配置された一対の支柱２と、一対の支柱２にそれぞれ両端側が連結される梁枠体３と、梁枠体３上に固定される足場板６と、を備える。梁枠体３は、梁枠体３が長手方向に複数に分割された分割梁枠４，５が、相互に連結されてなる。【選択図】図１
2014101659.tif 000002
【特許請求の範囲】
【請求項１】
建物と該建物に隣接する建物との間に設置され、前記建物の作業を行うために用いる仮設足場であって、
間隔を置いて配置された一対の支柱と、該一対の支柱にそれぞれ両端側が連結される梁枠体と、該梁枠体上に固定される足場板と、を備え、
前記梁枠体は、該梁枠体が長手方向に複数に分割された分割梁枠が、相互に連結されてなることを特徴とする仮設足場。
【請求項２】
前記梁枠体は、梁材が、水平方向において一列のみ配置されてなることを特徴とする請求項１記載の仮設足場。
【請求項３】
前記梁枠体の前記両端側には、前記梁枠体を前記支柱に連結するための連結部が設けられ、
前記支柱は、地面上に立設されると共に、前記梁枠体を前記支柱に連結するための被連結部を、前記支柱の延長方向に沿って複数備えていることを特徴とする請求項１又は２記載の仮設足場。
【請求項４】
前記分割梁枠には、該分割梁枠が他の前記分割梁枠と連結される端部に、前記梁材に対して角度を持った板体が固定され、
該板体は、前記分割梁枠と前記他の分割梁枠とを連結するボルト孔を備えていることを特徴とする請求項２又は３記載の仮設足場。
【請求項５】
前記分割梁枠はそれぞれ、前記足場板を固定するための固定部材を少なくとも一対備え、
前記足場板は、前記分割梁枠毎に設けられ、
前記板体の上方には、前記足場板が配置されていることを特徴とする請求項４記載の仮設足場。
【請求項６】
前記足場板は、幅が５０ｃｍ以下であることを特徴とする請求項１乃至５いずれか記載の仮設足場。
【請求項７】
前記分割梁枠は、上方の前記梁材と、該上方の梁材に対向して下方に設けられた下方の前記梁材と、該下方の梁材と前記上方の梁材とを橋渡す架橋部材と、が一体に形成されてなることを特徴とする請求項２乃至６いずれか記載の仮設足場。
【請求項８】
建物と該建物に隣接する建物との間に、前記建物の作業を行うために用いる仮設足場を設置する仮設足場の組み立て方法であって、
一対の支柱を、相互に間隔を置いて地面上に設置する工程と、
前記一対の支柱に、長手方向に複数に分割された分割梁枠が、相互に連結されてなる梁枠体の両端側を連結する連結工程と、
前記梁枠体上に足場板を固定する足場板固定工程と、を備えることを特徴とする仮設足場の組み立て方法。
【請求項９】
前記連結工程では、
一方の前記支柱に、前記分割梁枠のうち、最初の前記分割梁枠を連結する工程と、
前記支柱に既に連結された前記分割梁枠に、次の前記分割梁枠を順次連結する工程と、
他方の前記支柱に、最後の前記分割梁枠を連結する工程と、を行い、
前記足場板固定工程では、前記分割梁枠毎に、前記足場板を固定することを特徴とする請求項８記載の仮設足場の組み立て方法。
【発明の詳細な説明】
【技術分野】
【０００１】
本発明は、狭小地に隣家と接近して建てられた建物の建築やメンテナンスの作業を室外側から行う際に用いられる仮設足場及びその組み立て方法に関する。
【背景技術】
【０００２】
住宅等の建物の建築時や、建築後のメンテナンス時において、室外側から作業をおこなうために、建築足場が仮設される。
このような建築足場は、一般に、所定の間隔で立設された単管支柱と梁部材とを縦横に組み合わせ、梁部材に踏み板を仮設して構築している。
例えば、建物に近い内側位置に所定間隔で複数の支柱からなる第１の支柱列を立設配置し、建物から遠い外側位置に所定間隔で複数の支柱からなる第２の支柱列を立設配置し、２つの支柱列を建物の周りに平行に周回させ、内側と外側の支柱の間に梁部材を仮設し、更に隣接する梁部材に踏み板を仮設するようにし、直線状に連接された踏み板列をコーナー部で直交させるように配置するものが提案されている（例えば特許文献１）。
【先行技術文献】
【特許文献】
【０００３】
【特許文献１】特開２００５−１８８０２３号公報
【発明の概要】
【発明が解決しようとする課題】
【０００４】
しかし、隣家との距離が例えば３０〜５０ｃｍ程度しかないような狭小地に、隣家と接近して建築された建物のメンテナンス等を行う際には、十分なスペースが確保できず、特許文献１の発明のような従来の建築足場を仮設することができなかった。
【０００５】
本発明は、上記の課題に鑑みてなされたものであり、本発明の目的は、隣家と接近して建築された建物の作業を室外側から行うときに用いる狭小地用の仮設足場及びその組み立て方法を提供することにある。
【課題を解決するための手段】
【０００６】
前記課題は、請求項１によれば、建物と該建物に隣接する建物との間に設置され、前記建物の作業を行うために用いる仮設足場であって、間隔を置いて配置された一対の支柱と、該一対の支柱にそれぞれ両端側が連結される梁枠体と、該梁枠体上に固定される足場板と、を備え、前記梁枠体は、該梁枠体が長手方向に複数に分割された分割梁枠が、相互に連結されてなること、により解決される。
【０００７】
このように、梁枠体は、梁枠体が長手方向に複数に分割された分割梁枠が、相互に連結されてなるため、梁枠体を分割梁枠毎に、仮設足場の設置場所に持ち込むことができ、仮設足場の設置場所に持ち込む個々の部材の長さを短くすることができる。従って、建物と隣接する建物とが接近しており、仮設足場を設置するスペースが狭い場合であっても、仮設足場の設置が可能となる。特に、仮設足場を設置するスペースが狭いだけでなく、メンテナンス等の作業の対象となる建物の前の道路が狭い場合であっても、設置場所への仮設足場の搬入を容易に行うことができる。
【０００８】
このとき、前記梁枠体は、梁材が、水平方向において一列のみ配置されてなると好適である。
このように構成しているため、梁材を水平方向に二列備えた一般的な梁枠体よりも、幅の狭い梁枠体を実現できる。従って、一般的な仮設足場では、設置することができないような幅の狭い狭小地にも、仮設足場を設置することができる。
【０００９】
このとき、前記梁枠体の前記両端側には、前記梁枠体を前記支柱に連結するための連結部が設けられ、前記支柱は、地面上に立設されると共に、前記梁枠体を前記支柱に連結するための被連結部を、前記支柱の延長方向に沿って複数備えていると好適である。
このように、支柱が、地面上に立設されるため、支柱を建物に固定する必要がない。従って、建物に支柱を固定する場所を探す必要がないので、建物のメンテナンス時にも、場所を選ばず、便利である。
また、支柱は、梁枠体を支柱に連結するための被連結部を、支柱の延長方向に沿って複数備えているため、作業をする高さに応じて足場板を設置できる。また、上下に足場板を複数並列して設置することも可能となる。
【００１０】
このとき、前記分割梁枠には、該分割梁枠が他の前記分割梁枠と連結される端部に、前記梁材に対して角度を持った板体が固定され、該板体は、前記分割梁枠と前記他の分割梁枠とを連結するボルト孔を備えていると好適である。
このように構成しているため、隣接する分割梁枠を、ボルト締めにより相互に連結できるので、狭小地での仮設足場の組み立てを簡単に行うことができると同時に、分割梁枠同士の連結強度を十分保つことができる。
【００１１】
このとき、前記分割梁枠はそれぞれ、前記足場板を固定するための固定部材を少なくとも一対備え、前記足場板は、前記分割梁枠毎に設けられ、前記板体の上方には、前記足場板が配置されていると好適である。
このように構成しているため、個々の足場板を短いものとすることができ、仮設足場の設置場所に持ち込む個々の部材の長さを短くすることができる。その結果、仮設足場の狭小地への設置が容易になる。
また、板体の上方には、足場板が配置されているため、隣接する分割梁枠を連結する板体が、作業員側に露出されることがなく、誤って板体が作業員に踏まれて連結剛性が低下することを防止できる。
【００１２】
このとき、前記足場板は、幅が５０ｃｍ以下であると好適である。
このように構成しているため、作業対象となる建物と隣接する建物との間のスペースが狭い狭小地でも、仮設足場の設置が可能となる。
このとき、前記分割梁枠は、上方の前記梁材と、該上方の梁材に対向して下方に設けられた下方の前記梁材と、該下方の梁材と前記上方の梁材とを橋渡す架橋部材と、が一体に形成されてなると好適である。
このように構成しているため、梁枠体を、鉛直方向に広がりを持った枠状に構成でき、梁枠体の剛性を向上できる。また、分割梁枠が使用中に回転することを防止できる。
【００１３】
前記課題は、請求項８によれば、建物と該建物に隣接する建物との間に、前記建物の作業を行うために用いる仮設足場を設置する仮設足場の組み立て方法であって、一対の支柱を、相互に間隔を置いて地面上に設置する工程と、前記一対の支柱に、長手方向に複数に分割された分割梁枠が、相互に連結されてなる梁枠体の両端側を連結する連結工程と、前記梁枠体上に足場板を固定する足場板固定工程と、を備えること、により解決される。
【００１４】
このように、梁枠体は、梁枠体が長手方向に複数に分割された分割梁枠が、相互に連結されてなるため、梁枠体を分割梁枠毎に、仮設足場の設置場所に持ち込むことができ、仮設足場の設置場所に持ち込む個々の部材の長さを短くすることができる。従って、建物と隣接する建物とが接近しており、仮設足場を設置するスペースが狭い場合であっても、仮設足場の設置が可能となる。特に、仮設足場を設置するスペースが狭いだけでなく、メンテナンス等の作業の対象となる建物の前の道路が狭い場合であっても、設置場所への仮設足場の搬入を容易に行うことができる。
【００１５】
このとき、前記連結工程では、一方の前記支柱に、前記分割梁枠のうち、最初の前記分割梁枠を連結する工程と、前記支柱に既に連結された前記分割梁枠に、次の前記分割梁枠を順次連結する工程と、他方の前記支柱に、最後の前記分割梁枠を連結する工程と、を行い、前記足場板固定工程では、前記分割梁枠毎に、前記足場板を固定すると好適である。
【発明の効果】
【００１６】
本発明によれば、梁枠体は、梁枠体が長手方向に複数に分割された分割梁枠が、相互に連結されてなるため、梁枠体を分割梁枠毎に、仮設足場の設置場所に持ち込むことができ、仮設足場の設置場所に持ち込む個々の部材の長さを短くすることができる。従って、建物と隣接する建物とが接近しており、仮設足場を設置するスペースが狭い場合であっても、仮設足場の設置が可能となる。特に、仮設足場を設置するスペースが狭いだけでなく、メンテナンス等の作業の対象となる建物の前の道路が狭い場合であっても、設置場所への仮設足場の搬入を容易に行うことができる。
【図面の簡単な説明】
【００１７】
【図１】本発明の一実施形態に係る仮設足場を示す前面図である。
【図２】本発明の一実施形態に係る端部梁枠の前面図である。
【図３】本発明の一実施形態に係る中央梁枠と端部梁枠との連結状態を示す斜視説明図である。
【図４】本発明の一実施形態に係る中央梁枠の前面図である。
【図５】本発明の他の実施形態に係る仮設足場を示す前面図である。
【発明を実施するための形態】
【００１８】
以下、本発明の一実施形態に係る仮設足場及びその組み立て方法について、図１〜図５を参照しながら説明する。
図１は、本発明の一実施形態に係る仮設足場を示す前面図である。図２は、本発明の一実施形態に係る端部梁枠の前面図である。図３は、本発明の一実施形態に係る中央梁枠と端部梁枠との連結状態を示す斜視説明図である。図４は、本発明の一実施形態に係る中央梁枠の前面図である。図５は、本発明の他の実施形態に係る仮設足場を示す前面図である。
【００１９】
（仮設足場）
本実施の形態に係る仮設足場１は、隣家との距離が例えば３０〜５０ｃｍ程度しかないような狭小地に、隣家と接近して建築される建物において、建築作業やメンテナンス作業を室外側から行うときに用いられる狭小地用の仮設足場１である。
本実施形態の仮設足場１は、図１に示すように、一対の支柱２と、一対の支柱２に両端が連結される梁枠体３と、梁枠体３上に固定される足場板６と、を備えている。
支柱２は、図１に示すように、３階建て戸建て住宅の屋根に達する長さを備えた鋼製の丸パイプ状体からなり、メンテナンス対象の建物と、隣接する建物との隙間の地面の２カ所に固定される。支柱２には、梁枠体３の端部に形成された係止片４５が係止される略筒状の係止ホルダー２１が、支柱２の長さ方向に所定間隔を置いて複数設けられている。
係止ホルダー２１は、図１に示すように、支柱２の水平方向の断面の周に沿って、９０°ずつずらして４つずつ設けられており、支柱２のほぼ同じ高さに、相互に垂直になるように、４つの梁枠体３を連結可能に構成されている。
【００２０】
本実施形態では、梁枠体３は、長さ方向に３つに分割されており、一対の端部梁枠４と、一対の端部梁枠４に挟まれる中央梁枠５と、を備えている。端部梁枠４及び中央梁枠５が、特許請求の範囲の分割梁枠に該当する。
端部梁枠４は、図２に示すように、端部梁枠体４１を主要構成要素としている。
端部梁枠体４１は、鋼製の丸パイプ状の上梁材４２と、上梁材４２の下方で上梁材４２に平行に延びる鋼製の丸パイプ状の下梁材４３と、上梁材４２と下梁材４３とを架橋して連結する架橋部材４４とが、溶接により一体に形成されてなる。
端部梁枠体４１では、上梁材４２及び下梁材４３が、水平方向において一列のみ配置されている。
上梁材４２及び下梁材４３の長手方向の一端には、端部梁枠４を中央梁枠５に連結するための板体４６が一体に溶接固定されている。板体４６は、上梁材４２及び下梁材４３に対して垂直な略矩形の板体である。板体４６には、矩形の４つの頂点よりも中央よりの４か所に、不図示のボルト孔が穿孔されている。この不図示のボルト孔に挿入された不図示の両切りボルトとナット４６ａにより、板体５６に固定される。
上梁材４２の他端には、端部梁枠４を支柱２に連結するための係止片４５が、上梁材４２に一体に設けられている。係止片４５は、端部が下方を向いており、係止片４５の端部側を支柱２の係止ホルダー２１に挿入することにより、係止ホルダー２１に係止される。
【００２１】
上梁材４２の上面であって、係止片４５よりも長手方向中央寄りの位置と、板体４６よりも長手方向中央寄りの位置の２カ所には、図２に示すように、足場板６を固定するための足場板ホルダー３６が不図示のボルトにより固定されている。
足場板ホルダー３６は、図３に示すように、平板部３６ａ及び平板部３６ａの両端が屈曲された一対の壁部３６ｂを備えたコの字状部材３６ｃと、コの字状部材３６ｃの平板部３６ａと一対の壁部３６ｂとに囲まれた領域に溶接固定された角パイプ３６ｄとから形成されている。
一対の壁部３６ｂは、上端側が、他方の壁部３６ｂに近づくように若干傾斜して、平板部３６ａから立設されている。また、一対の壁部３６ｂの間の距離は、足場板６の幅と同じ長さに形成されている。これにより、足場板６を足場板ホルダー３６に載せたときに、足場板ホルダー３６上に固定可能になっている。
足場板ホルダー３６は、角パイプ３６ｄの上面が水平になるよう、上梁材４２上面にボルト締めされている。
なお、本実施形態では、足場板６を上梁材４２，５２に固定するための部材として、図２に示す足場板ホルダー３６を備えているが、足場板ホルダー３６は、足場板６を上梁材４２，５２に固定するための部材の一例であって、適宜、他の構成からなる部材を採用してもよい。
【００２２】
中央梁枠５は、図４に示すように、中央梁枠体５１を主要構成要素としている。
中央梁枠体５１は、鋼製の丸パイプ状の上梁材５２と、上梁材５２の下方で上梁材５２に平行に延びる鋼製の丸パイプ状の下梁材５３と、上梁材５２と下梁材５３とを架橋して連結する架橋部材５４とが、溶接により一体に形成されてなる。
中央梁枠体５１では、上梁材５２及び下梁材５３が、水平方向において一列のみ配置されている。
上梁材５２及び下梁材５３の長手方向の両端には、中央梁枠５を端部梁枠４に連結するための板体５６が一体に溶接固定されている。板体５６は、上梁材５２及び下梁材５３に対して垂直な略矩形の板体である。板体５６は、板体４６と同様の構成であるため、説明を省略する。
【００２３】
上梁材５２の上面であって、板体５６よりも長手方向中央寄りの位置の２カ所には、図４に示すように、足場板６を固定するための足場板ホルダー３６が不図示のボルトにより固定されている。
足場板ホルダー３６は、角パイプ３６ｄの上面が水平になるよう、上梁材５２上面にボルト締めされている。
梁枠体３は、中央梁枠５の両端に一対の端部梁枠４が固定されることにより構成される。中央梁枠５と一対の端部梁枠４との間の固定は、板体４６と板体５６とが、不図示の両切りボルトと一対のナット４６ａ，５６ａにより締結されることで、行われる。
図１に示すように、仮設足場１の組み立て時、板体４６と板体５６の連結部の上方には、足場板６の端部付近が配置されている。
このように構成することにより、板体４６と板体５６との連結部が、上方に直接露出しないため、作業員に踏まれて連結剛性が低下することを防止できる。
【００２４】
足場板６は、幅約３０ｃｍからなり、公知の仮設足場で用いられる足場板と同様の構成からなる。なお、足場板６の幅は、本実施形態の仮設足場１が用いられる建物と隣接する建物との間の隙間に応じて、適宜選択可能である。
本実施形態の足場板６は、図１に示すように、長手方向の長さが、端部梁枠４及び中央梁枠５の長手方向の長さに近い長さとされ、端部梁枠４及び中央梁枠５それぞれの上方に一つずつ設置されている。
このように構成することにより、端部梁枠４，中央梁枠５及び足場板６の長さが概略統一され、搬送用のトラックに仮設足場１を載せる際の作業性が向上する。
【００２５】
なお、図５の足場板６´のように、一組の仮設足場１´に含まれる足場板６´の数と端部梁枠４及び中央梁枠５の合計数とを異なる数とし、隣接する足場板６´間の隙間と、端部梁枠４と中央梁枠５とを連結する板体４６，５６との位置を対応させないようにしてもよい。このとき、隣接する足場板６´間の隙間から、端部梁枠４と中央梁枠５とを連結する板体４６，５６が見えなくなる。
図５の例では、足場板６´は４つ設けられ、端部梁枠４と中央梁枠５の合計数が３つであるため、足場板６´の隙間と端部梁枠４と中央梁枠の連結位置とが、互い違いとなっている。
このように構成することにより、端部梁枠４と中央梁枠５の連結位置付近の上方には、足場板６´が長く延びて、隙間に露出しなくなる。端部梁枠４と中央梁枠５の連結位置付近の上方に足場板６´間の隙間が配置される場合よりも、剛性が高められる。
【００２６】
（仮設足場の組み立て方法）
次に、仮設足場１を組み立てる方法について説明する。
隣家と接近して建築された建物のメンテナンスを室外側から行うときには、まず、一対の支柱２を、メンテナンス対象の建物と、隣接する建物との間の隙間のうち、奥側と道路側の地面２カ所に固定する。
次いで、端部梁枠４を、隣接する建物との隙間の奥側の支柱２に隣接した位置に持ち込む。端部梁枠４の係止片４５を、梁枠体３を設置したい高さに対応した係止ホルダー２１に係止させる。
次いで、中央梁枠５を、隣接する建物との隙間に持ち込む。端部梁枠４の板体４６の不図示のボルト孔に通してあった不図示の両切りボルトを、中央梁枠５の板体５６の不図示のボルト孔に差し込み、ナット４６ａ，５６ａで締める。これにより、奥側の支柱２に、奥側の端部梁枠４と中央梁枠５が連結された状態となる。
【００２７】
次いで、もう一つの端部梁枠４を、隣接する建物との隙間を通して、中央梁枠５に隣接した位置に持ち込む。中央梁枠５の板体５６の不図示のボルト孔に通してあった不図示の両切りボルトを、端部梁枠４の板体４６の不図示のボルト孔に差し込み、ナット４６ａ，５６ａで締める。また、端部梁枠４の係止片４５を、奥側の支柱２の係止高さに対応した手前側の支柱２の係止ホルダー２１に係止させる。
これにより、一対の支柱２に、端部梁枠４，中央梁枠５，端部梁枠４が順次連結された状態となる。
次いで、端部梁枠４，中央梁枠５，端部梁枠４のそれぞれに固定された足場板ホルダー３６に、足場板６を載せて、仮設足場１の組み立てを完了する。
【００２８】
作業者は、手前側の支柱２近くに配置した脚立等を用いて、手前側の端部梁枠４から足場板６上に上り、室外側から建物のメンテナンス作業を行う。
なお、本実施形態では、図１，図３のように、仮設足場１に、梁枠体３及び足場板６を一組のみ設置した例を示したが、各支柱２の複数の係止ホルダー２１に梁枠体３を係止することにより、複数組の梁枠体３及び足場板６を上下に設置してもよい。例えば、建物の異なる階層に対応する係止ホルダー２１に梁枠体３をそれぞれ設置することにより、各階での作業を円滑に行うことができる。
このように、梁枠体３及び足場板６を上下に複数組設置した場合、異なる高さの足場板６に移動するときには、一旦手前側の支柱２まで戻ってから、異なる高さの足場板６に上るか、一旦建物内に入って、建物内の階段等で昇降し、建物から異なる高さの足場板６に移る。
本実施形態の仮設足場１は、メンテナンス対象の建物と、隣接する建物との隙間に設置されるため、足場板６から直接地面に下りたり、異なる高さの足場板６に直接上り下りしたりするためのスペースが、足場板６と建物の間にないためである。
【００２９】
また、本実施の形態の仮設足場１は、狭小地のメンテナンス対象の建物及び隣接する建物と、足場板６との間に、数ｃｍ〜２０ｃｍ程度までの隙間を持たせて設置される。従って、足場板６と建物の間に、作業員が足場板６から抜け落ちるだけのスペースがないため、仮設足場１は、手摺を備える必要がない。
また、本実施形態では、梁枠体３が、長さ方向に３分割されているが、分割の数はこれに限定されるものではなく、２分割，４分割等、梁枠体３全体の長さと、メンテナンス対象の建物の大きさに応じて、適宜選択可能である。
【００３０】
更に、支柱２を、一直線上に載るように３本以上設置し、その間に梁枠体３をそれぞれ設置してもよい。この構成は、中央に設置した支柱２の両側の係止ホルダー２１に、梁枠体３をそれぞれ連結することにより達成できる。このように構成すると、図１の梁枠体３が、間に支柱２を介して直線上に並ぶため、建物間の隙間が長い場合にも適用できる。
また、３本の支柱２を、直角三角形の頂点に位置するように配置し、直角三角形の直角を挟む２辺を構成するように、二つの梁枠体３を支柱２に取付けてもよい。この構成は、直角三角形の直角の頂点に位置する支柱２に互いに直角に設けられた係止ホルダー２１に、梁枠体３をそれぞれ連結することにより達成できる。このように構成すると、図１の梁枠体３が、支柱２を中心にして垂直に曲がるため、建物間の隙間が垂直に曲がる場合にも適用できる。
【符号の説明】
【００３１】
１  仮設足場
２  支柱
３  梁枠体
４  端部梁枠
５  中央梁枠
６  足場板
２１  係止ホルダー
３６  足場板ホルダー
３６ａ  平板部
３６ｂ  壁部
３６ｃ  コの字状部材
３６ｄ  角パイプ
４１  端部梁枠体
４２，５２  上梁材
４３，５３  下梁材
４４，５４  架橋部材
４５  係止片
４６，５６  板体
４６ａ，５６ａ  ナット
５１  中央梁枠体
【図１】
2014101659.tif 000003
【図２】
2014101659.tif 000004
【図３】
2014101659.tif 000005
【図４】
2014101659.tif 000006
【図５】
2014101659.tif 000007